【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
第１のデバイスから第２のデバイスに、可視光通信（ＶＬＣ）信号をブロードキャストすることと、前記ＶＬＣ信号が前記第１のデバイスの識別子を備える、
前記ブロードキャストされたＶＬＣ信号に応答して、第３のデバイスとの接続を開始するための情報を受信することと
を備える、ワイヤレス通信の方法。
【請求項２】
前記第２のデバイスから、前記第３のデバイスとの前記接続を開始するための前記情報を受信すること
をさらに備える、請求項１に記載の方法。
【請求項３】
前記第３のデバイスから、前記第３のデバイスとの前記接続を開始するための前記情報を受信すること
をさらに備える、請求項１に記載の方法。
【請求項４】
無線周波（ＲＦ）通信を使用して、前記第３のデバイスとの前記接続を開始するための前記情報を受信すること
をさらに備える、請求項１に記載の方法。
【請求項５】
前記第３のデバイスからクエリを受信することと、
前記第３のデバイスから、前記第３のデバイスとの前記接続を開始するための前記情報を受信することと、
前記受信された情報を使用して、前記第３のデバイスとの前記接続を開始することと
をさらに備える、請求項１に記載の方法。
【請求項６】
前記第３のデバイスとの前記接続を開始すること、および
前記第３のデバイスとの前記接続を開始した後、制御情報を受信すること、前記第３のデバイスを介して状態クエリを受信すること、または前記第３のデバイスにデバイス状態情報を送信すること
をさらに備える、請求項１に記載の方法。
【請求項７】
前記第３のデバイスがワイヤレスアクセスポイントである、請求項１に記載の方法。
【請求項８】
第１のデバイスから第２のデバイスに、可視光通信（ＶＬＣ）信号をブロードキャストするための手段と、前記ＶＬＣ信号が前記第１のデバイスの識別子を備える、
前記ブロードキャストされたＶＬＣ信号に応答して、第３のデバイスとの接続を開始するための情報を受信するための手段と
を備える、ワイヤレス通信のためのデバイス。
【請求項９】
第２のデバイスにおいて、第１のデバイスの識別子を備える可視光通信（ＶＬＣ）信号を前記第１のデバイスから受信することと、
前記ＶＬＣ信号を受信することに応答して、前記第１のデバイスと第３のデバイスと間の接続を開始するための情報を送信することと
を備える、ワイヤレス通信の方法。
【請求項１０】
前記第１のデバイスに、前記第１のデバイスと前記第３のデバイスと間の前記接続を開始するための前記情報を送信すること
をさらに備える、請求項９に記載の方法。
【請求項１１】
前記第３のデバイスに、前記第１のデバイスと前記第３のデバイスと間の前記接続を開始するための前記情報を送信すること
をさらに備える、請求項９に記載の方法。
【請求項１２】
無線周波（ＲＦ）通信を使用して、前記第１のデバイスと前記第３のデバイスとの間の前記接続を開始するための前記情報を送信すること
をさらに備える、請求項９に記載の方法。
【請求項１３】
前記第１のデバイスと前記第３のデバイスとの間の前記接続を開始するための前記情報が、ネットワーク認証情報、前記第３のデバイスが前記第１のデバイスと通信するための認可、または前記第１のデバイス用のＷｉ−Ｆｉ保護設定（ＷＰＳ）の個人識別番号（ＰＩＮ）／キーを備える、請求項９に記載の方法。
【請求項１４】
前記第１のデバイスについての追加情報にアクセスするために前記第１のデバイスの前記識別子を使用することと、
前記第１のデバイスについての前記追加情報にアクセスした後、前記第１のデバイスと前記第３のデバイスとの間の前記接続を開始するための前記情報を送信することと
をさらに備える、請求項９に記載の方法。
【請求項１５】
第２のデバイスにおいて、第１のデバイスの識別子を備える可視光通信（ＶＬＣ）信号を前記第１のデバイスから受信するための手段と、
前記ＶＬＣ信号を受信することに応答して、前記第１のデバイスと第３のデバイスと間の接続を開始するための情報を送信するための手段と
を備える、ワイヤレス通信のためのデバイス。
【請求項１６】
コンピュータ可読媒体を備えたコンピュータプログラム製品であって、前記コンピュータ可読媒体は、処理デバイスに請求項１ないし７および９ないし１５のいずれか一項にしたがった方法を行わせるためのコードを備える、コンピュータプログラム製品。
【手続補正２】
【補正対象書類名】明細書
【補正対象項目名】０２１７
【補正方法】変更
【補正の内容】
【０２１７】
[0227]添付の図面とともに上記に記載された発明を実施するための形態は、当業者が本開示を作製または使用することを可能にするために提供される。本開示に対する様々な変更が当業者には容易に明らかになり、本明細書において定義された一般原理は、本開示の趣旨または範囲から逸脱することなく他の変形形態に適用され得る。本開示全体にわたって、「例」または「例示的」という用語は、一例または一事例を示すものであり、述べられた例についていかなる選好も暗示または必要としない。発明を実施するための形態は、記載された技法の理解を与える目的で、具体的な詳細を含む。しかしながら、これらの技法は、これらの具体的な詳細なしに実践される場合がある。場合によっては、記載された実施形態の概念を不明瞭にすることを回避するために、よく知られている構造およびデバイスがブロック図の形態で示される。このように、本開示は、本明細書に記載された例および設計に限定されるべきでなく、本明細書で開示された原理および新規の特徴に一致する最も広い範囲を与えられるべきである。
以下に、本願の出願当初の特許請求の範囲に記載された発明を付記する。
［Ｃ１］
第１のデバイスから第２のデバイスに、可視光通信（ＶＬＣ）信号をブロードキャストすることと、前記ＶＬＣ信号が前記第１のデバイスの識別子を備える、
前記ブロードキャストされたＶＬＣ信号に応答して、第３のデバイスとの接続を開始するための情報を受信することと
を備える、ワイヤレス通信の方法。
［Ｃ２］
前記第２のデバイスから、前記第３のデバイスとの前記接続を開始するための前記情報を受信すること
をさらに備える、Ｃ１に記載の方法。
［Ｃ３］
前記第３のデバイスから、前記第３のデバイスとの前記接続を開始するための前記情報を受信すること
をさらに備える、Ｃ１に記載の方法。
［Ｃ４］
無線周波（ＲＦ）通信を使用して、前記第３のデバイスとの前記接続を開始するための前記情報を受信すること
をさらに備える、Ｃ１に記載の方法。
［Ｃ５］
前記第３のデバイスとの前記接続を開始するための前記情報が、ネットワーク認証情報を備える、Ｃ１に記載の方法。
［Ｃ６］
前記第２のデバイスと通信することと、
前記第２のデバイスから、前記第３のデバイスとの前記接続を開始するための前記情報を受信することと、
前記受信された情報を使用して、前記第３のデバイスとの前記接続を開始することとをさらに備える、Ｃ１に記載の方法。
［Ｃ７］
前記第３のデバイスからクエリを受信することと、
前記第３のデバイスから、前記第３のデバイスとの前記接続を開始するための前記情報を受信することと、
前記受信された情報を使用して、前記第３のデバイスとの前記接続を開始することとをさらに備える、Ｃ１に記載の方法。
［Ｃ８］
前記第３のデバイスとの前記接続を開始すること
をさらに備える、Ｃ１に記載の方法。
［Ｃ９］
前記第３のデバイスとの前記接続を開始した後、前記第３のデバイスを介して制御情報を受信すること
をさらに備える、Ｃ８に記載の方法。
［Ｃ１０］
前記第３のデバイスとの前記接続を開始した後、前記第３のデバイスを介して状態クエリを受信すること
をさらに備える、Ｃ８に記載の方法。
［Ｃ１１］
前記第３のデバイスとの前記接続を開始した後、前記第３のデバイスにデバイス状態情報を送信すること
をさらに備える、Ｃ８に記載の方法。
［Ｃ１２］
前記第１のデバイスの前記識別子が、ソフトアクセスポイント認証情報を備える、Ｃ１に記載の方法。
［Ｃ１３］
前記第１のデバイスの前記識別子が、Ｗｉ−Ｆｉ（登録商標）保護設定（ＷＰＳ）の個人識別番号（ＰＩＮ）／キーを備える、Ｃ１に記載の方法。
［Ｃ１４］
前記第３のデバイスがワイヤレスアクセスポイントである、Ｃ１に記載の方法。
［Ｃ１５］
第１のデバイスから第２のデバイスに、可視光通信（ＶＬＣ）信号をブロードキャストするための手段と、前記ＶＬＣ信号が前記第１のデバイスの識別子を備える、
前記ブロードキャストされたＶＬＣ信号に応答して、第３のデバイスとの接続を開始するための情報を受信するための手段と
を備える、ワイヤレス通信のためのデバイス。
［Ｃ１６］
前記第２のデバイスから、前記第３のデバイスとの前記接続を開始するための前記情報を受信するための手段
をさらに備える、Ｃ１５に記載のデバイス。
［Ｃ１７］
前記第３のデバイスから、前記第３のデバイスとの前記接続を開始するための前記情報を受信するための手段
をさらに備える、Ｃ１５に記載のデバイス。
［Ｃ１８］
第２のデバイスにおいて、第１のデバイスの識別子を備える可視光通信（ＶＬＣ）信号を前記第１のデバイスから受信することと、
前記ＶＬＣ信号を受信することに応答して、前記第１のデバイスと第３のデバイスと間の接続を開始するための情報を送信することと
を備える、ワイヤレス通信の方法。
［Ｃ１９］
前記第１のデバイスに、前記第１のデバイスと前記第３のデバイスと間の前記接続を開始するための前記情報を送信すること
をさらに備える、Ｃ１８に記載の方法。
［Ｃ２０］
前記第３のデバイスに、前記第１のデバイスと前記第３のデバイスと間の前記接続を開始するための前記情報を送信すること
をさらに備える、Ｃ１８に記載の方法。
［Ｃ２１］
無線周波（ＲＦ）通信を使用して、前記第１のデバイスと前記第３のデバイスとの間の前記接続を開始するための前記情報を送信すること
をさらに備える、Ｃ１８に記載の方法。
［Ｃ２２］
前記第１のデバイスと前記第３のデバイスとの間の前記接続を開始するための前記情報が、ネットワーク認証情報を備える、Ｃ１８に記載の方法。
［Ｃ２３］
前記第１のデバイスと前記第３のデバイスとの間の前記接続を開始するための前記情報が、前記第３のデバイスが前記第１のデバイスと通信するための認可を備える、Ｃ１８に記載の方法。
［Ｃ２４］
前記第１のデバイスと前記第３のデバイスとの間の前記接続を開始するための前記情報が、前記第１のデバイス用のＷｉ−Ｆｉ保護設定（ＷＰＳ）の個人識別番号（ＰＩＮ）／キーを備える、Ｃ１８に記載の方法。
［Ｃ２５］
前記第１のデバイスに接続することと、
前記第１のデバイスに接続されている間、前記第３のデバイスとの前記接続を開始するための前記情報を、前記第１のデバイスに送信することと、
前記第３のデバイスとの前記接続を開始するための前記情報を送信した後、前記第１のデバイスとの接続を切ることと
をさらに備える、Ｃ１８に記載の方法。
［Ｃ２６］
前記第１のデバイスの前記識別子を使用して、前記第１のデバイスについての追加情報にアクセスすることと、
前記第１のデバイスについての前記追加情報にアクセスした後、前記第１のデバイスと前記第３のデバイスとの間の前記接続を開始するための前記情報を送信することと
をさらに備える、Ｃ１８に記載の方法。
［Ｃ２７］
前記第１のデバイスの前記識別子が、ソフトアクセスポイント認証情報を備える、Ｃ１８に記載の方法。
［Ｃ２８］
前記第１のデバイスの前記識別子が、Ｗｉ−Ｆｉ保護設定（ＷＰＳ）の個人識別番号（ＰＩＮ）／キーを備える、Ｃ１８に記載の方法。
［Ｃ２９］
第２のデバイスにおいて、第１のデバイスの識別子を備える可視光通信（ＶＬＣ）信号を前記第１のデバイスから受信するための手段と、
前記ＶＬＣ信号を受信することに応答して、前記第１のデバイスと第３のデバイスと間の接続を開始するための情報を送信するための手段と
を備える、ワイヤレス通信のためのデバイス。
［Ｃ３０］
前記第３のデバイスに、前記第１のデバイスと前記第３のデバイスと間の前記接続を開始するための前記情報を送信するための手段
をさらに備える、Ｃ２９に記載のデバイス。